(57)【要約】【課題】スライドゲートを取り払った後に、地面から簡単に取り除くことができ、そして取り除いた後にも、地面を簡単に元の状態に戻すことができるスライドゲート用案内部材を提供する。【解決手段】断面を略直角三角形状とした横長の柱状体とし、スライドゲート１のゲート１ａの下部に取り付けられた転動体６が転動可能とした隙間Ｓをおいて、その垂直側面１１ａどうしを対向させたものとしており、前記スライドゲート１が配設された地面Ｇに、横長方向に複数個連接させた状態で敷設したものとしている。【選択図】図２
2008002068.tif 000002
【特許請求の範囲】
【請求項１】
断面を略直角三角形状とした横長の柱状体とし、スライドゲート（１）のゲート（１ａ）の下部に取り付けられた転動体（６）が転動可能とした隙間（Ｓ）をおいて、その垂直側面（１１ａ）どうしを対向させたものとしており、前記スライドゲート（１）が配設された地面（Ｇ）に、横長方向に複数個連接させた状態で敷設したことを特徴とするスライドゲート用案内部材。
【請求項２】
前記ゲート（１ａ）を、支柱（２、２）間に架け渡される支持梁（３）に沿って移動自在に吊り下げられた複数の懸吊体（４…）に、それぞれパネル（５）が屈曲自在に接続されたものとしたことを特徴とする請求項１記載のスライドゲート用案内部材。
【請求項３】
前記案内部材（１１）を軟質材から成るものとしたことを特徴とする請求項１記載のスライドゲート用案内部材。
【請求項４】
前記案内部材（１１）に、斜面（１１ｃ）から（底面１１ｂ）に貫通する止孔（１３）を設け、止着具により前記スライドゲート（１）が配設された地面（Ｇ）に止着できるようにしたことを特徴とする請求項１記載のスライドゲート用案内部材。
【発明の詳細な説明】
【技術分野】
【０００１】
この発明は、建築工事現場等の出入口に仮設される機材等の搬入用のスライドゲートにおける案内部材に関するものである。
【背景技術】
【０００２】
従来、この種のスライドゲートとしては、例えば図７、８に示したように、対面して立設された一対の支柱２１、２１間に架け渡される支持梁２２に沿って移動自在に吊り下げられた複数の懸吊体２３…の相互間に、所定のパネル２４が折曲自在に接続されたものとしている。そして、前記各懸吊体２３…の下部には、図示したようなガイドローラ２５やキャスター（図示せず）などの転動体が取り付けられており、この転動体は、前記支柱２１、２１が立設された地面に埋設された、断面略コの字状の受金具２６とした案内部材に沿って転動し、スライドゲートの安定した開閉状態を維持している（特許文献１）。
【特許文献１】実開平５−４０５９９号公報（第５、６頁、図１、２）
【発明の開示】
【発明が解決しようとする課題】
【０００３】
ところで、上記したようなスライドゲートは、建築工事現場等の出入口に仮設されるのであるので、建築工事等が終了すれば分解するなどして取り払われる。
【０００４】
しかしながら、上記従来のスライドゲートでは、そのスライドゲートを取り払った後にも案内部材が残り、この案内部材は地面に埋設されているので、これをまた取り除くのが非常で面倒であるという問題点を有していた。
【０００５】
さらに、上記従来のスライドゲートでは、案内部材を取り除いた後にも、地面に凹みができているので、これを埋め立てて地面を均すという作業が必要であり、これまた非常で面倒であり、地面を簡単に元の状態に戻すことができないという問題点を有していた。
【０００６】
そこで、この発明は、上記従来の問題点を解決するものであり、スライドゲートを取り払った後に、地面から簡単に取り除くことができ、そして取り除いた後にも、地面を簡単に元の状態に戻すことができるスライドゲート用案内部材を提供することを目的としてなされたものである。
【課題を解決するための手段】
【０００７】
そのため、この発明のスライドゲート用案内部材は、断面を略直角三角形状とした横長の柱状体とし、スライドゲート１のゲート１ａの下部に取り付けられた転動体６が転動可能とした隙間Ｓをおいて、その垂直側面１１ａどうしを対向させたものとしており、前記スライドゲート１が配設された地面Ｇに、横長方向に複数個連接させた状態で敷設したものとしている。
【０００８】
そして、この発明のスライドゲート用案内部材は、前記ゲート１ａを、支柱２、２間に架け渡される支持梁３に沿って移動自在に吊り下げられた複数の懸吊体４…に、それぞれパネル５が屈曲自在に接続されたものとしている。
【０００９】
さらに、この発明のスライドゲート用案内部材は、前記案内部材１１を軟質材から成るものとしている。
【００１０】
また、この発明のスライドゲート用案内部材は、前記案内部材１１に、斜面１１ｃから底面１１ｂに貫通する止孔１３を設け、止着具により前記スライドゲート１が配設された地面Ｇに止着できるようにしている。
【発明の効果】
【００１１】
この発明のスライドゲート用案内部材は、以上に述べたように構成されているので、スライドゲートを取り払った後に、地面から簡単に取り除くことができ、そして取り除いた後にも、地面を簡単に元の状態に戻すことができものとなった。
【発明を実施するための最良の形態】
【００１２】
以下、この発明のスライドゲート用案内部材の実施の形態を、図面に基づいて詳細に説明する。
【００１３】
図１は、この発明のスライドゲート用案内部材を用いるためのスライドゲート１であり、そのゲート１ａは、支柱２、２間に架け渡される支持梁３に沿って移動自在に吊り下げられた複数の懸吊体４…に、それぞれパネル５が屈曲自在に接続されたものとしている。そして、各懸吊体４…の下端には、例えば図示したようなガイドローラ等の転動体６が設置されることにより、前記スライドゲート１のゲート１ａの下部には、任意の転動体６を取り付けたものとしている。なお、前記スライドゲート１のゲート１ａの上部は、図示したものでは、前記支持梁３の下面に設けられた案内軌条７に沿って移動自在に設けられた吊具８…を介して吊り下げられたものとしているが、このように支持梁３に吊り下げられたものとしなくてもよい。
【００１４】
この発明の案内部材１１は、断面を略直角三角形状とした横長の柱状体とし、前記スライドゲート１のゲート１ａの下部に取り付けられた転動体６が転動可能とした隙間Ｓをおいて、その垂直側面１１ａどうしを対向させたものとしており、前記スライドゲート１が配設された地面Ｇに、図３に示したように、横長方向に複数個連接させた状態で敷設したものとしている。
【００１５】
前記案内部材１１は、金属や硬質合成樹脂等の硬質材から成るものとしてもよいが、前記転動体６が接触したり突き当たったりしても、この転動体６が損傷し難いように、ゴムや軟質合成樹脂等の軟質材から成るものとするのが好ましい。
【００１６】
そして、前記案内部材１１は、断面を略直角三角形状としており、図示したものでは、垂直側面１１ａを約５〜１０ｃｍ程度とし、その垂直側面１１ａに転動体６が突き当たっても乗り越えられない程度の高さとしている。さらに、前記案内部材１１の底面１１ｂは、適当な個所を肉抜きして凹部１２を設けることにより軽量化を図っている。また、前記案内部材１１の斜面１１ｃは、その傾斜角度を約５〜１５度程度とし、機材等を搬入するための運搬車等が通過し易いようにしている。なお、前記案内部材１１には、斜面１１ｃから底面１１ｂに貫通する止孔１３が設けられており、釘やアンカーボルト等の止着具（図示せず）により、前記スライドゲート１が配設された地面Ｇに止着できるようにしている。図示したものでは、前記止孔１３に段差部１３ａを設けることにより、この止孔１３に止着具を差し込んで、案内部材１１を地面Ｇに止着するときに、その止着具の頭部が斜面１１ｃから突出しないようにしている。
【００１７】
以上のように構成されたこの発明のスライドゲート用案内部材は、建築工事等が終了してスライドゲート１を分解するなどして取り払われた後に、このスライドゲート１が配設された地面Ｇに、案内部材１１が横長方向に複数個連接させて止着された状態で残ることになる。しかし、この案内部材１１は、それぞれが釘やアンカーボルト等の止着具により、前記地面Ｇに止着されているので、これら止着具を先に外したり、または止着具によって止着されたまま案内部材１１を無理やり引き上げたりして、これら案内部材１１を一枚ずつ地面Ｇから剥がしていけば簡単に取り除くことができる。
【００１８】
そして、このようにして案内部材１１を取り除いた後の地面Ｇには、前記止着具の跡が残るが、この跡は小さく浅いので、少量の土等を被せれば簡単に埋めることができ、案内部材１１が敷設されていた地面Ｇを簡単に元の状態に戻すことができる。
【図面の簡単な説明】
【００１９】
【図１】この発明の案内部材を用いたスライドゲートの正面図である。
【図２】図１中のＡ−Ａ線による断面図である。
【図３】この発明の案内部材をスライドゲートが配設された地面に敷設した状態を示す斜視図である。
【図４】この発明の案内部材の斜視図である。
【図５】図３中のＢ−Ｂ線による断面図である。
【図６】図３中のＣ−Ｃ線による断面図である。
【図７】従来の案内部材を用いたスライドゲートの正面図である。
【図８】図７中のＤ−Ｄ線による断面図である。
【符号の説明】
【００２０】
１  スライドゲート
１ａ  ゲート
２  支柱
３  支持梁
４  懸吊体
５  パネル
６  転動体
１１  案内部材
１１ａ  垂直側面
１１ｂ  底面
１１ｃ  斜面
１３  止孔
Ｓ  隙間
Ｇ  地面
【図１】
2008002068.tif 000003
【図２】
2008002068.tif 000004
【図３】
2008002068.tif 000005
【図４】
2008002068.tif 000006
【図５】
2008002068.tif 000007
【図６】
2008002068.tif 000008
【図７】
2008002068.tif 000009
【図８】
2008002068.tif 000010